(57)【要約】      （修正有）【課題】顧客（使用者）が効率的に複数の宝飾品の擬似的な装着状態を視覚的に実現し、宝飾品の図形により示される宝飾品が自身に適切なものであるかを効率的に確認することができる宝飾品試着ツールを提供する。【解決手段】印刷または貼り付けによって、宝飾品の実物大の図形１２１、１２２、１２３、１２４が表面上に配置された透明シート１１０を備え、透明シートを使用者の指に重ねることで、図形により示される宝飾品の擬似的な装着状態を視覚的に実現する宝飾品試着ツール１００であって、透明シートの表面上に配置される図形は、複数個であり、透明シートの一端から他端に向かって少なくとも１つの行または列に並べて配置され、宝飾品は、指輪、宝石および宝石を設置した指輪のうち少なくとも１種類であり、透明シートは少なくとも１枚であることを特徴とする。【選択図】図１
0003182786.tif 000002
【実用新案登録請求の範囲】
【請求項１】
印刷または貼り付けによって、宝飾品の実物大の図形が表面上に配置された透明シートを備え、該透明シートを使用者の指に重ねることで、前記図形により示される前記宝飾品の擬似的な装着状態を視覚的に実現する宝飾品試着ツールであって、
前記透明シートの表面上に配置される前記図形は、複数個であり、前記透明シートの一端から他端に向かって少なくとも１つの行または列に並べて配置され、
前記宝飾品は、指輪、宝石および宝石を設置した指輪のうち少なくとも１種類であり、
前記透明シートは少なくとも１枚であることを特徴とする宝飾品試着ツール。
【請求項２】
前記透明シートは複数枚であり、そのうち１枚の透明シートに配置される前記図形に用いられる前記宝飾品の種類には指輪および宝石を設置した指輪のうち少なくとも一方が含まれ、他の透明シートのうち１枚の透明シートに配置される前記図形に用いられる宝飾品の種類には指輪および宝石を設置した指輪のうち少なくとも一方が含まれ、前記１枚の透明シートおよび前記他の透明シートのうち１枚の透明シートは、互いに重ねられた状態で使用者の指に重ねられることを特徴とする請求項１に記載の宝飾品試着ツール。
【請求項３】
前記透明シートは複数枚であり、そのうち１枚の透明シートに配置される前記図形に用いられる前記宝飾品の種類には宝石を設置した指輪が含まれ、他の透明シートのうち1枚の透明シートに配置される前記図形に用いられる宝飾品の種類には宝石が含まれ、前記１枚の透明シートおよび前記他の透明シートのうち１枚の透明シートは、前記１枚の透明シートの表面上に配置された宝石を設置した指輪の図形または該宝石を設置した指輪の図形の付近に、前記他の透明シートのうち１枚の透明シートの表面上に配置された宝石の図形を重ねた状態で、使用者の指に重ねられることを特徴とする請求項１に記載の宝飾品試着ツール。
【請求項４】
前記図形は前記透明シートの一端から他端に向かって複数の行または列に並べて配置され、前記透明シートの表面上には、前記複数の行または列どうしの間に、前記透明シートの一端から他端に向かって、前記透明シートを複数枚に分離するための切取り線が引かれ、前記複数の行または列のうち、１つの行または列に並べて配置される前記図形に用いられる前記宝飾品の種類には指輪および宝石を設置した指輪のうち少なくとも一方が含まれ、他の行または列のうち１つの行または列に並べて配置される前記図形に用いられる宝飾品の種類には指輪および宝石を設置した指輪のうち少なくとも一方が含まれ、前記１つの行または列を含む前記切取り線部分で切断された透明シートおよび前記他の行または列のうち１つの行または列を含む前記切取り線部分で切断された透明シートは、互いに重ねられた状態で使用者の指に重ねられることを特徴とする請求項１に記載の宝飾品試着ツール。
【請求項５】
前記図形は前記透明シートの一端から他端に向かって複数の行または列に並べて配置され、前記透明シートの表面上には、前記複数の行または列どうしの間に、前記透明シートの一端から他端に向かって、前記透明シートを複数枚に分離するための切取り線が引かれ、前記複数の行または列のうち、１つの行または列に並べて配置される前記図形に用いられる前記宝飾品の種類には宝石を設置した指輪が含まれ、他の行または列のうち１つの行または列に並べて配置される前記図形に用いられる宝飾品の種類には宝石が含まれ、前記１つの行または列を含む前記切取り線部分で切断された透明シートおよび前記他の行または列のうち１つの行または列を含む前記切取り線部分で切断された透明シートは、前記１つの行または列を含む前記切取り線部分で切断された透明シートの表面上に配置された宝石を設置した指輪の図形または該宝石を設置した指輪の図形の付近に、前記他の行または列のうち１つの行または列を含む前記切取り線部分で切断された透明シートの表面上に配置された宝石の図形を重ねた状態で、使用者の指に重ねられることを特徴とする請求項１に記載の宝飾品試着ツール。
【考案の詳細な説明】
【技術分野】
【０００１】
本考案は、使用者の指にシートを重ねることで、宝飾品の擬似的な装着状態を視覚的に実現する宝飾品試着シートに関する。
【背景技術】
【０００２】
指輪、宝石、宝石の設置された指輪などの宝飾品を購入する際、従来顧客は、宝石店等の店舗まで出向いて、宝飾品を購入していた。近年は、テレビやインターネット等を通じ、宝飾品販売が行われるようになり、顧客はわざわざ店舗に出向かなくても、宝飾品を購入することができるようになった。
【０００３】
しかしながら、テレビやインターネット等を通じて、宝飾品（指輪、宝石、宝石を設置した指輪）を購入する場合、顧客は購入を検討する宝飾品を装着した状態を確認することができなかった。宝飾品は、高価な品物であるため、その装着状態を確認できないことは、顧客に宝飾品の購入を躊躇させる大きな要因となっていた。
【０００４】
これに対し、店舗で宝飾品を購入する場合、顧客は店舗を訪れ、宝飾品を実際に手に取り、その装着状態を確認することが可能である。しかしながら、店舗で宝飾品を購入する場合でも、店舗外ではその装着状態を確認することはできなかった。宝飾品は、朝、昼、夜で装着した際の見栄えが異なることがあるため、顧客には店舗外でも宝飾品の装着状態を確認したいというニーズがある。しかし、店舗で宝飾品を購入する場合でも、このようなニーズを満たすことはできなかった。
【０００５】
そこで、従来は、宝飾品を販売する業者がサンプル用のリング・宝石を用意し、顧客はこれを店舗外で指に装着して、装着状態、見栄えを確認していた。しかし、サンプル用のリング・宝石を作成するにあたってはコストがかかるため、業者にとって負担となり、用意できるリングの種類・サイズも限定されるという不都合があった。
【０００６】
特許文献１の商品試着シートは、１枚の透明なシート上に、１つの商品の図形を印刷または貼り付けし、このシートを使用者の指の上にかざすことで、商品の擬似的な装着状態を視覚的に実現するものである。この商品試着シートによれば、顧客は店舗外でも、商品の装着状態を確認することができる。
【０００７】
しかしながら、宝飾品には、様々な種類やサイズが存在する。顧客が複数個の宝飾品の擬似的な装着状態の確認を行いたい場合、上記の商品試着シートのように、1枚のシート上に１つの宝飾品の図形を印刷または貼り付けするというだけでは、装着状態を確認したい宝飾品の数だけシートを揃える必要がある。また、装着状態を確認した宝飾品と別の宝飾品の装着状態を確認するには、その都度シートを交換する必要があり、装着状態の確認に時間と手間がかかる。そのため、上記の商品試着シートにはなお改善の余地があった。
【先行技術文献】
【特許文献】
【０００８】
【特許文献１】実用新案登録第３１４６０６７号
【考案の概要】
【考案が解決しようとする課題】
【０００９】
本考案は上記の点に鑑みてなされたものであり、透明シートの表面上に配置される宝飾品の図形の個数を複数個として、宝飾品の図形の個数よりも透明シートの枚数が少なくなるようにして、顧客（使用者）が効率的に複数の宝飾品の擬似的な装着状態を視覚的に実現し、宝飾品の図形により示される宝飾品が自身に適切なものであるかを効率的に確認することができる宝飾品試着ツールを提供することを目的とする。
【課題を解決するための手段】
【００１０】
本考案の宝飾品試着ツールは、印刷または貼り付けによって、宝飾品の実物大の図形が表面上に配置された透明シートを備え、該透明シートを使用者の指に重ねることで、前記図形により示される前記宝飾品の擬似的な装着状態を視覚的に実現する宝飾品試着ツールであって、前記透明シートの表面上に配置される前記図形は、複数個であり、前記透明シートの一端から他端に向かって少なくとも１つの行または列に並べて配置され、前記宝飾品は、指輪、宝石および宝石を設置した指輪のうち少なくとも１種類であり、前記透明シートは少なくとも１枚であることを特徴とする。
【００１１】
さらに、前記透明シートは複数枚であり、そのうち１枚の透明シートに配置される前記図形に用いられる前記宝飾品の種類には指輪および宝石を設置した指輪のうち少なくとも一方が含まれ、他の透明シートのうち１枚の透明シートに配置される前記図形に用いられる宝飾品の種類には指輪および宝石を設置した指輪のうち少なくとも一方が含まれ、前記１枚の透明シートおよび前記他の透明シートのうち１枚の透明シートは、互いに重ねられた状態で使用者の指に重ねられるように構成しても良い。
【００１２】
また、前記透明シートは複数枚であり、そのうち１枚の透明シートに配置される前記図形に用いられる前記宝飾品の種類には宝石を設置した指輪が含まれ、他の透明シートのうち1枚の透明シートに配置される前記図形に用いられる宝飾品の種類には宝石が含まれ、前記１枚の透明シートおよび前記他の透明シートのうち１枚の透明シートは、前記１枚の透明シートの表面上に配置された宝石を設置した指輪の図形または該宝石を設置した指輪の図形の付近に、前記他の透明シートのうち１枚の透明シートの表面上に配置された宝石の図形を重ねた状態で、使用者の指に重ねられるように構成しても良い。
【００１３】
さらに前記図形は前記透明シートの一端から他端に向かって複数の行または列に並べて配置され、前記透明シートの表面上には、前記複数の行または列どうしの間に、前記透明シートの一端から他端に向かって、前記透明シートを複数枚に分離するための切取り線が引かれ、前記複数の行または列のうち、１つの行または列に並べて配置される前記図形に用いられる前記宝飾品の種類には指輪および宝石を設置した指輪のうち少なくとも一方が含まれ、他の行または列のうち１つの行または列に並べて配置される前記図形に用いられる宝飾品の種類には指輪および宝石を設置した指輪のうち少なくとも一方が含まれ、前記１つの行または列を含む前記切取り線部分で切断された透明シートおよび前記他の行または列のうち１つの行または列を含む前記切取り線部分で切断された透明シートは、互いに重ねられた状態で使用者の指に重ねられるように構成しても良い。
【００１４】
また、前記図形は前記透明シートの一端から他端に向かって複数の行または列に並べて配置され、前記透明シートの表面上には、前記複数の行または列どうしの間に、前記透明シートの一端から他端に向かって、前記透明シートを複数枚に分離するための切取り線が引かれ、前記複数の行または列のうち、１つの行または列に並べて配置される前記図形に用いられる前記宝飾品の種類には宝石を設置した指輪が含まれ、他の行または列のうち１つの行または列に並べて配置される前記図形に用いられる宝飾品の種類には宝石が含まれ、前記１つの行または列を含む前記切取り線部分で切断された透明シートおよび前記他の行または列のうち１つの行または列を含む前記切取り線部分で切断された透明シートは、前記１つの行または列を含む前記切取り線部分で切断された透明シートの表面上に配置された宝石を設置した指輪の図形または該宝石を設置した指輪の図形の付近に、前記他の行または列のうち１つの行または列を含む前記切取り線部分で切断された透明シートの表面上に配置された宝石の図形を重ねた状態で、使用者の指に重ねられるように構成しても良い。
【考案の効果】
【００１５】
これにより、透明シートの表面上に配置される宝飾品の図形の個数を複数個として、宝飾品の図形の個数よりも透明シートの枚数を少なくすることで、顧客（使用者）が効率的に複数の宝飾品の擬似的な装着状態を視覚的に実現でき、宝飾品の図形により示される宝飾品が自身に適切なものであるかを効率的に確認することができる。
【図面の簡単な説明】
【００１６】
【図１】本考案の第1実施例である宝飾品試着ツール１００の平面図（ａ）及び使用状態図（ｂ）。
【図２】本考案の第２実施例である宝飾品試着ツール２００の平面図。
【図３】本考案の第３実施例である宝飾品試着ツール３００の使用状態図（ａ）及び第４実施例である宝飾品試着ツール４００の使用状態図（ｂ）。
【図４】本考案の第５実施例である宝飾品試着ツール５００の平面図（ａ）、分離時の平面図（ｂ）。
【図５】本考案の第６実施例である宝飾品試着ツール６００の平面図（ａ）、分離時の平面図（ｂ）及び使用状態図（ｃ）。
【図６】本考案の第７実施例である宝飾品試着ツール７００の平面図（ａ）、分離時の平面図（ｂ）及び使用状態図（ｃ）。
【図７】本考案の第８実施例である宝飾品試着ツール８００の平面図（ａ）、第９実施例である宝飾品試着ツール９００の平面図（ｂ）。
【図８】本考案の第１０実施例である宝飾品試着ツール１０００の平面図（ａ）、第１１実施例である宝飾品試着ツール１１００の平面図（ｂ）。
【考案を実施するための形態】
【実施例１】
【００１７】
以下で説明される各実施例を参照することで、本考案の利点及び特徴、その達成方法は明確になる。しかし、本考案は、下記の各実施例に限定されず、請求項に記載した範囲において、多様な形態で実施することができる。
【００１８】
本明細書における「宝飾品」との用語は、宝石類並びに貴金属及び宝石類を加工した装身具を意味し、このうち特に指輪、宝石および宝石を設置した指輪のうち少なくとも１種類を意味する。また、「指輪」とは、指にはめる輪状の装身具を意味し、各実施例の説明の中で、具体例として、以下のものを用いた。
・側面がストレートな形状の指輪（以下「Ｓ」という）
・側面がカーブしている指輪（以下「Ｃ」という）
また、「宝石」とは、装飾用としての価値が高い非金属鉱物を意味し、各実施例の説明の中で、具体例として、以下のものを用いた。
・ラウンドブリリアントカットされたダイヤ（以下「ＢＤ」という）
・ハートシェイプカットされたダイヤ（以下「ＨＤ」という）
・カボションカットされたルビー（以下「ＣＲ」という）
さらに、「宝石を設置した指輪」とは、指にはめる輪状の装身具に、装飾用としての価値が高い非金属鉱物を設置したものを意味し、各実施例の説明の中で、具体例として、以下のものを用いた。
・ハートシェイプカットされたダイヤを設置した側面がストレートな形状の指輪（以下「ＨＤ／Ｓ」という）
・ハートシェイプカットされたダイヤを設置した側面がカーブした形状の指輪（以下「ＨＤ／Ｃ」という）
・ラウンドブリリアントカットされたダイヤを設置した側面がストレートな形状の指輪（以下「ＢＤ／Ｓ」という）
・ラウンドブリリアントカットされたダイヤを設置した側面がカーブした形状の指輪（以下「ＢＤ／Ｓ」という）
・カボションカットされたルビーを設置した側面がカーブした形状の指輪（以下「ＣＲ／Ｃ」という）
しかし、本考案の「指輪」、「宝石」、「宝石を設置した指輪」は、上記の具体例に限定されず、多様な種類のものを用いることができる。
【００１９】
本考案の第１実施例である宝飾品試着ツール１００を、図１を用いて説明する。図１の（ａ）に示されるのは、本考案の第１実施例である宝飾品試着ツール１００の平面図であり、図１の（ｂ）に示されるのは、本考案の第１実施例である宝飾品試着ツール１００の使用状態図である。
【００２０】
まず、図１の（ａ）を用いて本考案の第１実施例である宝飾品試着ツール１００の構成を説明する。
【００２１】
本考案の宝飾品試着ツール１００は、透明シート１１０を備え、透明シート１１０の表面上には、印刷によって、複数個の宝飾品の図形が横方向に並べて配置され、行１２０を形成している。
【００２２】
透明シート１１０は、指の上に重ねられる部分であり、プラスチック樹脂などの素材で構成される。透明シート１１０の色が透明であるため、指の上に重ねたときに、透明シート１１０の下に、指が透けて見える。また、素材にプラスチックの樹脂を用いているため、折り曲げ、切断が容易である。
【００２３】
また、複数の宝飾品の図形は、透明シート１１０の一端から他端に向かって行１２０に並べて配置されている。本実施例では、複数の宝飾品の図形は、ＢＤの図形１２１、Ｓの図形１２２、ＨＤ／Ｓの図形１２３、Ｃの図形１２４である。これらの図形１２１〜１２４は、それぞれの図形に対応する宝飾品の実物を写真で撮影したものを、透明シート１１０の表面上に実物大で印刷したものである。
【００２４】
このように、透明シート１１０の表面上に複数個の宝飾品の図形が行１２０に並べて配置されていることにより、透明シート１１０を指の上に重ねて、表面上に設置された宝飾品の図形（例えばＳの図形１２２）を使用者の指の上に位置させることで、その図形により示される宝飾品の擬似的な装着状態を視覚的に実現することができる。また、透明シート１１０上には、複数個の宝飾品の図形が配置されているため、透明シート１１０を用いるのみで、複数個の宝飾品の擬似的な装着状態を視覚的に実現することができる。さらに、複数の宝飾品が行１２０に並べて配置されていることで、使用者の指の上に、透明シート１１０上のある宝飾品の図形（例えばＳの図形１２２）を位置させた後で、透明シート１１０をスライドさせるなどの簡素な動作で、使用者の指の上に、透明シート１１０上に配置された他の宝飾品の図形（例えばＣの図形１２４）を位置させることができる。
【００２５】
次に、図１の（ｂ）を用いて本考案の第１実施例である宝飾品試着ツール１００の使用方法を説明する。
【００２６】
宝飾品試着ツール１００を使用する際は、使用者は、透明シート１１０を指Ｆの上に重ねる。そして、透明シート１１０を動かし、使用者が装着状態を確認したい、Ｓの図形１２２を指Ｆの上に位置させ、Ｓの図形１２２により示されるＳの擬似的な装着状態を実現する。ここで、使用者はこれを眺めて、装着状態、見栄え等を確認する。
【００２７】
その後、使用者は必要に応じて、透明シート１１０をスライドさせて、ＢＤの図形１２１、ＨＤ／Ｓの図形１２３、Ｃの図形１２４など透明シート１１０上の他の宝飾品の図形を指Ｆの上に位置させて、図形により示される宝飾品の擬似的装着状態を実現する。そして、これを眺めて、装着状態、見栄え等を確認し、先に装着状態を確認した宝飾品（Ｓ）とどちらが自身に適切なものであるかを確認する。
【００２８】
これにより、透明シートの表面上に配置される宝飾品の図形の個数を複数個として、宝飾品の図形の個数よりも透明シートの枚数を少なくすることで、使用者が効率的に複数の宝飾品の擬似的な装着状態を視覚的に実現でき、宝飾品の図形により示される宝飾品が自身に適切なものであるかを効率的に確認することができる。
【００２９】
また、複数の宝飾品の図形が、透明シートの表面上に行に並べて配置されているために、使用者は透明シートをスライドさせるなどの簡素な動作で、宝飾品の擬似的な装着状態を実現し、透明シート上の宝飾品の図形により示される宝飾品が自身に適切なものであるかを少ない手間と時間で確認することができる。
【実施例２】
【００３０】
次に、図２を用いて、本考案の第２実施例である宝飾品試着ツール２００を説明する。本実施例の宝飾品試着ツール２００の使用方法は第１実施例と同様であり、構成にも共通する点がある。そこで、第１実施例と異なる点を中心に説明する。
【００３１】
本実施例の宝飾品試着ツール２００は、透明シート２１０を備え、透明シート２１０の表面上には、印刷によって複数個の宝飾品の図形２２１〜２２５、２３１〜２３５、２４１〜２４５、２５１〜２５５が、行２２０、２３０、２４０、２５０と４つの行に渡って並べて配置されている。
【００３２】
本実施例では、複数の宝飾品の図形２２１〜２２５、２３１〜２３５、２４１〜２４５、２５１〜２５５は、Ｓの図形、ＨＤの図形、ＢＤ／Ｓの図形、ＣＲの図形にそれぞれに分類される。そして、Ｓの図形２２１〜２２５は行２２０に、ＨＤの図形２３１〜２３５は行２３０に、ＢＤ／Ｓの図形２４１〜２４５は行２４０に、ＣＲの図形２５１〜２５５は行２５０に並べて配置されている。ここで、Ｓの図形２２１〜２２５では、指輪のサイズ（号数）は同じであるが、指輪の厚みはそれぞれ異なっている。ＢＤ／Ｓの図形２４１〜２４５の指輪部分ついても同様である。また、ＨＤの図形２３１〜２３５では、宝石のカラット数はそれぞれ異なっている。ＢＤ／Ｓの図形２４１〜２４５、ＣＲの図形２５１〜２５５についても同様である。なお、本実施例で、宝飾品の図形は上記のように分類されたが、分類の仕方は、上記のものに限られない。例えば、宝飾品の種類（指輪、宝石、または宝石を設置した指輪か）、指輪の形状（例えば、側面がストレートな形状かカーブした形状か等）、宝石のカット手法（例えば、ラウンドブリリアンカットかハートシェイプカットか等）、または宝石の原材料（例えば、ダイヤかルビーか等）、等の同一性よって分類しても良い。さらに、一度分類した図形を更に分類しても良い（例えば、宝飾品の種類で分類した後、宝石の原材料で分類し、さらに宝石のカット手法で分類する等）。
【００３３】
このように、同一のカテゴリーに分類された複数個の図形が隣接した位置に並べて配置されることで、同一のカテゴリーに分類された複数の図形が透明シートの表面上のどこに位置するのかが視覚的に確認しやすくなる。
【００３４】
これにより、使用者は、装着状態を確認したい宝飾品を示す図形の位置を容易に把握でき、効率的に宝飾品の装着状態を確認することができる。
【実施例３】
【００３５】
図３の（ａ）の部分を用いて、本考案の第３実施例である宝飾品試着ツール３００を説明する。本実施例についても、他の実施例と異なる点を中心に説明する。
【００３６】
本実施例の宝飾品試着ツール３００は、第１及び第２実施例と異なり、２枚の透明シート３１０（ａ）、３１０（ｂ）を備えている。透明シート３１０（ａ）の表面上には、印刷によって、ＢＤ／Ｃの図形３２１（ａ）〜３２４（ａ）が行３２０（ａ）に、ＢＤ／Ｓの図形３３１（ａ）〜３３４（ａ）が行３３０（ａ）に並べて配置されている。また、透明シート３１０（ｂ）の表面上には、印刷によって、Ｃの図形３２１（ｂ）〜３２４（ｂ）が行３２０（ｂ）に、Ｓの図形３３１（ｂ）〜３３４（ｂ）が行３３０（ｂ）に並べて配置されている。
【００３７】
本実施例の宝飾品試着ツール３００を使用する際には、使用者は、透明シート３１０（ａ）を指Ｆの上に重ねる。そして、透明シート３１０（ａ）を動かし、使用者が装着状態を確認したい、ＢＤ／Ｓの図形３３２（ａ）を指Ｆの上に位置させる。次いで、透明シート３１０（ｂ）を、透明シート３１０（ａ）に重ねる。そして、透明シート３１０（ｂ）を動かし、使用者が装着状態を確認したい、Ｓの図形３３３（ｂ）を指Ｆの上に位置させる。これにより、ＢＤ／Ｓの図形３３２（ａ）により示されるＢＤ／Ｓ、Ｓの図形３３３（ｂ）により示される、Ｓの擬似的な装着状態を同時に実現する。
【００３８】
これにより、使用者は指輪と宝石を設置した指輪の擬似的な装着状態を同時に実現することができる。そのため、使用者はいわゆる婚約指輪と結婚指輪を重ね着けした状態を確認することができ、どのような婚約指輪と結婚指輪の組合せが自身に最適かであるかを確認することができる。
【実施例４】
【００３９】
図３の（ｂ）の部分を用いて、本考案の第４実施例である宝飾品試着ツール４００を説明する。本実施例についても、他の実施例と異なる点を中心に説明する。
【００４０】
本実施例の宝飾品試着ツール４００は、２枚の透明シート４１０（ａ）、４１０（ｂ）を備えている。透明シート４１０（ａ）の表面上には、印刷によって、ＣＲの図形４２１（ａ）〜４２４（ａ）が行４２０（ａ）に、ＨＤの図形４３０（ａ）〜４３４（ａ）が行４３０（ａ）に並べて配置されている。また、透明シート４１０（ｂ）の表面上には、印刷によって、ＢＤ／Ｃの図形４２１（ｂ）〜４２４（ｂ）が行４２０（ｂ）に、ＢＤ／Ｓの図形４３１（ｂ）〜４３４（ｂ）が行４３０（ｂ）に並べて配置されている。
【００４１】
本実施例の宝飾品試着ツール４００を使用する際には、使用者は、透明シート４１０（ｂ）を指Ｆの上に重ねる。そして、透明シート４１０（ｂ）を動かし、使用者が装着状態を確認したい、ＢＤ／Ｓの図形４３３（ｂ）を指Ｆの上に位置させる。次いで、透明シート４１０（ａ）を、透明シート４１０（ｂ）に重ねる。そして、透明シート４１０（ａ）を動かし、使用者がＢＤ／Ｓの図形４３３（ｂ）と比較したいＨＤの図形４３２（ａ）を、ＢＤ／Ｓの図形４３３（ｂ）の指輪部分（またはその付近）の上に重ねる。これにより、ＢＤ／Ｓの図形４３３（ｂ）により示されるＢＤ／Ｓの擬似的な装着状態を視覚的に実現する。それとともに、ＨＤの図形４３２（ａ）により示されるＨＤと、擬似的な装着状態が実現されているＢＤ／ＳのＢＤとを、指輪部分Ｓ（またはその付近）上で、比較可能な状態を作り出す。そして、使用者は、ＢＤとＨＤの大きさの違い、色の違い、形状の違い、指輪部分Ｓとの相性等、装着状態や見栄えの違い等を比較する。
【００４２】
これにより、使用者は宝石を設置した指輪の擬似的な装着状態を実現することができる。それとともに、宝石を設置した指輪の宝石部分と別の宝石とを接近させ、大きさ、色の違い、形状の違い、指輪部分との相性等、装着状態や見栄えの違い等を比較することができる。そのため、使用者は、最適な指輪と宝石の組合せを効率的に確認することができる。
【００４３】
また、使用者は、透明シート４１０（ａ）をスライドさせて、ＨＤの図形４３２（ａ）を、ＢＤ／Ｓの図形４３３（ｂ）のＢＤ部分の上に位置させても良い。そして、ＨＤの図形４３２（ａ）により示されるＨＤを、ＢＤ／Ｓの図形により示されるＢＤ／Ｓの指輪部分Ｓに設置した状態を作り出す。ここで、使用者は、組合せにより作り出されたＨＤ／Ｓの装着状態、見栄え等を確認する。もちろん、この状態で、上記のようにＢＤとＨＤの比較を行っても良い。
【００４４】
これにより使用者は、宝石を設置した指輪の図形の宝石部分に、別の宝石の図形を重ねて、前記宝石を設置した指輪の指輪部分に別の宝石を設置した状態を作り出す。そして、別の宝石が設置された状態の、宝石を設置した指輪の装着状態、見栄え等を確認する。そのため、使用者は、指輪と宝石の様々な組合せを試して、最適な湯部輪と宝石の組合せを効率的に確認することができる。
【実施例５】
【００４５】
次に図４を用いて、本考案の第５実施例である宝飾品試着ツール５００を説明する。本実施例についても、他の実施例と異なる点を中心に説明する。
【００４６】
図４の（ａ）を参照すると、本実施例の宝飾品試着ツール５００は、透明シート５１０を備えている。そして、透明シート５１０の表面上には、印刷によって、Ｓの図形５２１〜５２４が行５２０に、ＣＲの図形５３１〜５３４が行５３０に並べて配置されている。加えて、本実施例では、透明シート５１０の一端から他端にかけて、行５２０と行５３０との間に、切取り線５１１が引かれている。
【００４７】
切取り線５１１は、透明シート５１０の切取り線５１１より上側の領域と、切取り線よりも下側の領域とを切断して分離する際に、目安となる線である。この切取り線５１１部分で、透明シート５１０を切断することで、透明シート５１０は、Ｓの図形５２１〜５２４が表面上に並べて配置された透明シート５１０（ａ）と、ＣＲの図形５３１〜５３４が表面上に並べて配置された透明シート５１０（ｂ）とに分離される（図４の（ｂ）参照）。
【００４８】
本実施例の宝飾品試着ツール５００を使用する際には、使用者は、透明シート５１０を切取り線５１１部分で切断して、透明シート５１０（ａ）、５１０（ｂ）に分離する。そして、自身が装着状態を確認したいＳの図形５２１〜５２４が表面上に配置されている透明シート５１０（ａ）のみを取り出す。その後の使用方法は、第１実施例と同様である。
【００４９】
これにより、使用者は、透明シートの表面上に配置された複数の宝飾品の図形のうち、自身が装着状態を確認したい宝飾品の図形の部分のみを、透明シートから分離することができるので、携帯しやすくなり、かつ、必要な一部の宝飾品の図形に集中して擬似的な装着状態を実現できるため、他の宝飾品の図形に目移りすることなく、集中してどの宝飾品が自己に適切かを確認することができる。
【実施例６】
【００５０】
次に図５を用いて、本考案の第６実施例である宝飾品試着ツール６００を説明する。本実施例についても、他の実施例と異なる点を中心に説明する。
【００５１】
図５の（ａ）を参照すると、本実施例の宝飾品試着ツール６００は、透明シート６１０を備えている。そして、透明シート６１０の表面上には、印刷によって、複数の宝飾品の図形が配置され、このうち、ＢＤ／Ｓの図形６２１〜６２４が行６２０に、ＣＲの図形６３１〜６３４が行６３０に、Ｓの図形６４１〜６４４が行６４０に並べて配置されている。そして、行６２０と行６３０との間、行６３０と行６４０との間には、それぞれ切取り線６１１、６１２が引かれている。
【００５２】
本実施例の宝飾品試着ツール６００を使用する際には、使用者は、透明シート６１０を切取り線６１１、６１２部分で切断し、透明シート６１０（ａ）、６１０（ｂ）、６１０（ｃ）に分離する（図５の（ｂ）参照）。そして、使用者が、自身が装着状態を確認したいＢＤ／Ｓの図形６２２、Ｓの図形６４３が表面上に配置されている透明シート６１０（ａ）、６１０（ｃ）のみを取り出す。その後の使用方法は、第３実施例と同様である。これにより、ＢＤ／Ｓの図形６２２により示されるＢＤ／Ｓ、Ｓの図形６４３により示されるＳの擬似的な装着状態を同時に実現する（図５の（ｃ）参照）。
【００５３】
これにより、使用者は、当初同一の透明シート上に配置されていた宝石を設置した指輪と指輪の擬似的な装着状態を同時に実現することができる。そのため、いわゆる婚約指輪と結婚指輪の重ね着けした状態を、使用開始時に１枚の透明シートを用意するだけで確認することができる。
【実施例７】
【００５４】
次に図６を用いて、本考案の第７実施例である宝飾品試着ツール７００を説明する。本実施例についても、他の実施例と異なる点を中心に説明する。
【００５５】
図６の（ａ）を参照すると、本実施例の宝飾品試着ツール７００は、透明シート７１０を備えている。そして、透明シート７１０の表面上には、印刷によって、ＣＲの図形７２１〜７２４が行７２０に、Ｓの図形７３１〜７３４が行７３０に、ＢＤ／Ｓの図形７４１〜７４４が行７４０に並べて配置されている。そして、行７２０と行７３０との間、行７３０と行７４０との間には、それぞれ切取り線７１１、７１２が引かれている。
【００５６】
本実施例の宝飾品試着ツール７００を使用する際には、使用者は、透明シート７１０を切取り線７１１、７１２部分で切断し、透明シート７１０（ａ）、７１０（ｂ）、７１０（ｃ）に分離する（図６の（ｂ）参照）。そして、使用者が、自身が装着状態を確認したいＢＤ／Ｓの図形７４２、ＢＤ／Ｓの図形７４２と比較したいＣＲの図形７２１が表面上に配置されている透明シート７１０（ｃ）、７１０（ａ）のみを取り出す。その後の使用方法は、第４実施例と同様である。これにより、ＢＤ／Ｓの図形７４２により示されるＢＤ／Ｓの擬似的な装着状態を視覚的に実現する。それとともに、ＣＲの図形７２１により示されるＣＲと、擬似的な装着状態が実現されているＢＤ／ＳのＢＤとを、指輪部分Ｓ（またはその付近）上で、比較可能な状態を作り出す。そして、使用者は、ＢＤとＣＲの大きさの違い、色の違い、形状の違い、指輪部分Ｓとの相性等、装着状態や見栄えの違い等を比較する。
【００５７】
これにより、使用者は、当初同一の透明シート上に配置されていた宝石を設置した指輪の図形と宝石の図形のうち、宝石を設置した指輪の図形を用いて、宝石を設置した指輪の擬似的な装着状態を実現することができる。それとともに、宝石を設置した指輪の宝石部分と、宝石の図形により示される別の宝石とを接近させ、大きさ、色の違い、形状の違い、指輪部分との相性等、装着状態や見栄えの違い等を比較することができる。そのため、使用者は、使用開始時に1枚の透明シートを用意するだけで、最適な指輪と宝石の組合せを効率的に確認することができる。
【００５８】
また、第４実施例と同様、使用者は、透明シート７１０（ａ）をスライドさせて、ＣＲの図形７２１を、ＢＤ／Ｓの図形７４２（ｂ）のＢＤ部分の上に位置させても良い。そして、ＣＲの図形７２１（ａ）により示されるＣＲを、ＢＤ／Ｓの図形７４２により示されるＢＤ／Ｓの指輪部分Ｓに設置した状態を作り出す。ここで、使用者は、組合せにより作り出されたＣＲ／Ｓの装着状態、見栄え等を確認する。もちろん、この状態で、上記のようにＢＤとＣＲの比較を行っても良い。
【００５９】
これにより使用者は、当初同一のシート上に配置されていた、宝石を設置した指輪の図形と宝石の図形を用いて、宝石を設置した指輪の図形の宝石部分に、別の宝石の図形を重ねて、前記宝石を設置した指輪の指輪部分に別の宝石を設置した状態を作り出す。そして、別の宝石が設置された状態の、宝石を設置した指輪の装着状態、見栄え等を確認する。そのため、使用者は、使用開始時に１枚の透明シートを用意するだけで、指輪と宝石の様々な組合せを試して、最適な指輪と宝石の組合せを効率的に確認することができる。
【実施例８】
【００６０】
次に、図７の（ａ）を用いて、本考案の第８実施例である宝飾品試着ツール８００を説明する。本実施例は、使用方法は第１実施例と同様であり、構成も他の実施例と共通する部分があるため、他の実施例と異なる点を中心に説明する。
【００６１】
図７の（ａ）を参照すると、本実施例の宝飾品試着ツール８００は、透明シート８１０を備えている。そして、透明シート８１０の表面上には、印刷によって、Ｓの図形８２１〜８２４が行８２０に、ＨＤ／Ｓの図形８３１〜８３４が行８３０に、ＣＲ／Ｃの図形８４１〜８４４が行８４０に並べて配置されている。
【００６２】
そして、本実施例では、Ｓの図形８２１〜８２４、ＨＤ／Ｓの図形８３１〜８３４、ＣＲ／Ｃの図形８４１〜８４４は、図形により示される指輪部分の厚みが、図形８２１、８３１、８４１側から図形８２４、８３４、８４４側に向かうにつれて厚くなるように、それぞれ行８２０、行８３０、行８４０に並べて配置される。
【００６３】
これにより、使用者は、装着状態を確認したい指輪または宝石を設置した指輪の図形と、これと同一のカテゴリーに分類されて隣接した位置に配置される指輪部分の厚みのみが異なる図形とについて、それぞれ擬似的な装着状態を実現することで、それぞれの図形の指輪部分の厚みが段階を追って変化していることから、指輪部分の厚みが変化したことによる、見た目の印象の違いを容易に比較することができる。
【実施例９】
【００６４】
次に、図７の（ｂ）を用いて、本考案の第９実施例である宝飾品試着ツール９００を説明する。本実施例は、使用方法は第１実施例と同様であり、構成も他の実施例と共通する部分があるため、他の実施例と異なる点を中心に説明する。
【００６５】
図７の（ｂ）を参照すると、本実施例の宝飾品試着ツール９００は、透明シート９１０を備えている。そして、透明シート９１０の表面上には、印刷によって、ＨＤの図形９２１〜９２４が行９２０に、ＣＲの図形９３１〜９３４が行９３０に、ＢＤ／Ｓの図形９４１〜９４４が行９４０に並べて配置されている。
【００６６】
そして、本実施例では、ＨＤの図形９２１〜９２４、ＣＲの図形９３１〜９３４、ＢＤ／Ｓの図形９４１〜９４４は、図形により示される宝石部分のカラット数が、図形９２１、９３１、９４１側から図形９２４、９３４、９４４側に向かうにつれて増すように、それぞれ行９２０、行９３０、行９４０に並べて配置される。
【００６７】
これにより、使用者は、装着状態を確認したい宝石の図形と、これと同一のカテゴリーに分類されて隣接した位置に配置され宝石のカラット数のみが異なる図形とについて、それぞれ擬似的な装着状態を実現することで、それぞれの図形の宝石のカラット数が段階を追って変化していることから、宝石のカラット数が変化したことによる、見た目の印象の違いを容易に比較することができる。
【実施例１０】
【００６８】
次に、図８の（ａ）を用いて、本考案の第１０実施例である宝飾品試着ツール１０００を説明する。本実施例は、使用方法は第１実施例と同様であり、構成も他の実施例と共通する部分があるため、他の実施例と異なる点を中心に説明する。
【００６９】
図８の（ａ）を参照すると、本実施例の宝飾品試着ツール１０００は、透明シート１０１０を備えている。そして、透明シート１０１０の表面上には、印刷によって、ＨＤ／Ｓの図形１０２１〜１０２４が行１０２０に、ＣＲ／Ｃの図形１０３１〜１０３４が行１０３０に、ＨＤ／Ｃの図形１０４１〜１０４４が行１０４０に並べて配置されている。
【００７０】
そして、本実施例では、ＨＤ／Ｓの図形１０２１〜１０２４、ＣＲ／Ｃの図形１０３１〜１０３４、ＨＤ／Ｃの図形１０４１〜１０４４は、図形により示される指輪部分の厚み、および宝石のカラット数が、図形１０２１、１０３１、１０４１側から図形１０２４、１０３４、１０４４側に向かうにつれて増すように、それぞれ行１０２０、行１０３０、行１０４０に並べて配置される。
【実施例１１】
【００７１】
次に、図８の（ｂ）を用いて、本考案の第１１実施例である宝飾品試着ツール１１００を説明する。本実施例は、使用方法は第１実施例と同様であり、構成も他の実施例と共通する部分があるため、他の実施例と異なる点を中心に説明する。
【００７２】
図８の（ｂ）を参照すると、本実施例の宝飾品試着ツール１１００は、透明シート１１１０を備えている。そして、透明シート１１１０の表面上には、印刷によって、Ｓ（男性用）の図形１０２１〜１０２３、Ｓ（女性用）の図形１１２４、１１２５が行１１２０に、ＨＤ／Ｓ（男性用）の図形１１３１〜１１３３、ＨＤ／Ｓ（女性用）の図形１１３４、１０３５が行１１３０に、ＨＤの図形１１４１〜１１４３、ＢＤの図形１１４４〜１１４５が行１１４０に並べて配置されている。なお、各図形により示される指輪または指輪部分について、そのサイズは、例えば男性用で１６号、女性用で９号とする。ただし、このサイズはあくまで例であり、これに限られない。また、サイズが異なっていれば、男性用、女性用という区別を設けなくても良い。
【００７３】
そして、本実施例では、Ｓ（男性用）の図形１１２１〜１１２３により、行１１２０（α）が、Ｓ（女性用）の図形１１２４、１１２５により行１１２０（β）が形成されている。また、ＨＤ／Ｓ（男性用）の図形１１３１〜１１３３により、行１１３０（α）が、ＨＤ／Ｓ（女性用）の図形１１３４、１１３５により行１１３０（β）が形成されている。さらに、ＨＤの図形１１４１〜１１４３により、行１１４０（α）が、ＢＤの図形１１４４、１１４５により行１１４０（β）が形成されている。
【００７４】
ここで、Ｓ（男性用）の図形１１２１〜１１２３、Ｓ（女性用）の図形１１２４、１１２５、ＨＤ／Ｓ（男性用）の図形１１３１〜１１３３、ＨＤ／Ｓ（女性用）の図形１１３４、１１３５は、図形により示される指輪の部分の厚みが、それぞれ図形１１２１、１１２４、１１３１、１１３４側から図形１１２３、１１２５、１１３３、１１３５側に向かうにつれて厚くなるように、それぞれ、行１１２０（α）、行１１２０（β）、行１１３０（α）、行１１３０（β）に並べて配置される。
【００７５】
また、ＨＤ／Ｓ（男性用）の図形１１３１〜１１３３、ＨＤ／Ｓ（女性用）の図形１１３４、１１３５、ＨＤの図形１１４１〜１１４３、ＢＤの図形１１４４、１１４５は、図形により示される宝石のカラット数が、それぞれ図形１１３１、１１３４、１１４１、１１４４側から図形１１３３、１１３５、１１４３、１１４５側に向かうにつれて増すように、それぞれ、行１１３０（α）、行１１３０（β）、行１１４０（α）、行１１４０（β）に並べて配置される。
【００７６】
以上に本考案の宝飾品試着ツールの各実施例について説明した。なお、第１実施例乃至第１１実施例においては、複数の宝飾品の図形は、印刷により透明シートの表面上に配置されているが、貼り付けにより透明シートの表面上に配置しても良い。また、透明シートの素材は、透明であればプラスチック樹脂に限られず、他の素材も用いることができる。さらに、透明シートの一端から他端側にかけて複数の宝飾品の図形が配置される行の数、１つの行に並べて配置される宝飾品の図形の数は、第１実施例乃至第１１実施例に示された例に限られず、必要に応じて変更することができる（ただし、第５実施例乃至第７実施例では行の数は、最低２行は必要である。）。また、第１実施例乃至第１１実施例では、透明シートの一端から他端側にかけて宝飾品の図形は行に並べて配置されているが、縦の列に並べて配置しても良い。さらに、透明シートの枚数は、第１実施例乃至第１１実施例に示された枚数に限られず、これより増やしても良い。
【００７７】
また、第１実施例、第２実施例、第５実施例及び第１１実施例においては、宝飾品の図形に用いられる宝飾品の種類は、それぞれの実施例部分で説明した通りであるが、必要に応じて、指輪のみ、宝石のみ、宝石を設置した指輪のみ、これらのうち２種類、または、これら３種類すべてとしても良い。
【００７８】
また、第２実施例乃至第１１実施例では、上記の各実施例に示されるように、宝飾品の図形を分類しているが、分類の仕方は、上記のものに限られない。例えば、宝飾品の種類（指輪、宝石、または宝石を設置した指輪か）、指輪のサイズ（例えば、９号か１６号か等）、指輪の形状（例えば、側面がストレートな形状かカーブした形状か等）、指輪の厚み（例えば、３ミリか２．５ミリか等）、宝石のカット手法（例えば、ラウンドブリリアンカットかハートシェイプカットか等）、または宝石の原材料（例えば、ダイヤかルビーか等）、または宝石のカラット数（例えば、０．５カラットか、１カラットか、2カラットか等）、等の同一性よって分類しても良い。さらに、一度分類した図形を更に分類しても良い（例えば、宝飾品の種類で分類した後、宝石の原材料で分類し、さらに宝石のカット手法で分類する等）。
【００７９】
また、第３実施例においては、各透明シートの表面上に配置される宝飾品の図形に用いられる宝飾品の種類は、上記に説明したとおりであるが、それぞれ、指輪および宝石を設置した指輪の少なくとも一方を含んでいれば、指輪、宝石、宝石を設置した指輪、を自由に組み合わせて用いても良い。ただし、ここで宝石を用いる場合は、使用者が擬似的な装着状態を実現するために用いる図形以外の部分に宝石の図形を配置しなくてはならない。
【００８０】
また、第４実施例においては、各透明シートの表面上に配置される宝飾品の図形に用いられる宝飾品の種類は、上記に説明したとおりであるが、１枚の透明シートに配置される図形に用いられる宝飾品の種類に宝石を設置した指輪が含まれ、他のうちの１枚の透明シートに配置される図形に用いられる宝飾品の種類に宝石が含まれていれば、指輪、宝石、宝石を設置した指輪、を自由に組み合わせて用いても良い。ただし、ここで指輪を用いる場合は、使用者が擬似的な装着状態を実現するために用いる図形以外の部分に指輪の図形を配置しなくてはならない。
【００８１】
また、第６実施例においては、透明シートの表面上に配置される宝飾品の図形に用いられる宝飾品の種類は、上記に説明したとおりであるが、１つの行に並べて配置される図形に用いられる宝飾品の種類に指輪および宝石を設置した指輪のうち少なくとも一方が含まれ、他の行のうち１つの行に並べて配置される図形に用いられる宝飾品の種類に指輪および宝石を設置した指輪のうち少なくとも一方が含まれていれば、指輪、宝石、宝石を設置した指輪、を自由に組み合わせて用いても良い。ただし、ここで宝石を用いる場合は、使用者が擬似的な装着状態を実現するために用いる図形以外の部分に宝石の図形を配置しなくてはならない。
【００８２】
また、第７実施例においては、透明シートの表面上に配置される宝飾品の図形に用いられる宝飾品の種類は、上記に説明したとおりであるが、１つの行に並べて配置される図形に用いられる宝飾品の種類に宝石を設置した指輪が含まれ、他の行のうち１つの行に並べて配置される図形に用いられる宝飾品の種類に宝石が含まれていれば、指輪、宝石、宝石を設置した指輪、を自由に組み合わせて用いても良い。ただし、ここで指輪を用いる場合は、使用者が擬似的な装着状態を実現するために用いる図形以外の部分に指輪の図形を配置しなくてはならない。
【００８３】
また、第８実施例においては、透明シートの表面上に配置される宝飾品の図形に用いられる宝飾品の種類は、指輪、宝石を設置した指輪の２種類であるが、指輪および宝石を設置した指輪の少なくとも一方を用いていれば、指輪、宝石、宝石を設置した指輪、を自由に組み合わせて用いることもできる。
【００８４】
また、第９実施例においては、透明シートの表面上に配置される宝飾品の図形に用いられる宝飾品の種類は、宝石、宝石を設置した指輪の２種類であるが、宝石および宝石を設置した指輪の少なくとも一方を用いていれば、指輪、宝石、宝石を設置した指輪、を自由に組み合わせて用いることもできる。
【００８５】
また、第１０実施例においては、透明シートの表面上に配置される宝飾品の図形に用いられる宝飾品の種類は、宝石を設置した指輪のみであるが、宝石を設置した指輪を用いていれば、指輪、宝石、宝石を設置した指輪、を自由に組み合わせて用いることもできる。
【００８６】
また、第８実施例乃至第１１実施例においては、透明シートの枚数には特に言及が無いが、これを複数枚とし、各透明シートに表面上に配置される図形に用いられる宝飾品の種類を、第３実施例、第４実施例に示されるような種類とし、これらの実施例のように、各シートを重ね合わせて用いても良い。また、第８実施例乃至第１１実施例においては、透明シートの表面上には、図形が配置された行どうしの間に、切取り線が引かれていないが、切取り線を引くようにしても良い。また、切取り線を設けた上で、各透明シートの表面上に配置される図形に用いられる宝飾品の種類、各行に並べて配置される図形に用いられる宝飾品の種類を、第６実施例、第７実施例のようにして、これらの実施例のように、切取り線で透明シートを分離して、分離された透明シートどうしを重ね合わせて用いても良い。
【００８７】
また、第１実施例乃至第４実施例および第８実施例乃至第１１実施例については、透明シート上に切取り線が引かれていない。しかし、本考案では、切取り線が引かれていなくても、使用者にとって、必要な図形が配置されている箇所のみを切断して良い。そして、透明シートの切断した箇所を指の上に載せ、宝飾品の擬似的装着状態を実現しても良い。さらに、透明シートの切断した箇所を他のシートに重ねて、結婚指輪と婚約指輪の重ね付け、宝石を設置した指輪の宝石部分と別の宝石の比較を行っても良い。第５実施例乃至第７実施例についても、本考案では、切取り線にとらわれず、必要な箇所のみを切断し、使用しても良い。
【００８８】
また、第４実施例では、一方の透明シートに宝石を設置した指輪の図形を配置し、他方の透明シートに宝石の図形を配置する。そして、宝石を設置した指輪の図形の宝石部分に、宝石の図形を重ねて、前記宝石を設置した指輪の指輪部分に別の宝石を設置した状態を作り出す。本考案では、ここで、宝石を設置した指輪の図形に代えて、指輪の図形を用い、指輪の図形の上に、宝石の図形を重ねて、宝石を設置した指輪を作り出すようにしても良い。第７実施例についても同様のことが言える。
【００８９】
以上に本考案の各実施例を説明したが、当業者は本考案を、その技術的思想や必須な特徴を変更せずに、他の具体的な形態で実施できることを理解可能であろう。そのため、上記の実施例は例示的なものであり、限定的なものではない。
【符号の説明】
【００９０】
１００  宝飾品試着ツール
１１０  透明シート
１２０  行
１２１  ＢＤの図形
１２２  Ｓの図形
１２３  ＨＤ／Ｓの図形
１２４  Ｃの図形
【図１】
0003182786.tif 000003
【図２】
0003182786.tif 000004
【図３】
0003182786.tif 000005
【図４】
0003182786.tif 000006
【図５】
0003182786.tif 000007
【図６】
0003182786.tif 000008
【図７】
0003182786.tif 000009
【図８】
0003182786.tif 000010